(57)【特許請求の範囲】
【請求項１】
通帳を搬送し、前記通帳の表紙への印字を行う自動取引装置であって、
前記通帳を搬送するための搬送ローラを複数備え、それぞれの搬送ローラを前記通帳の表紙に接触させて回転させることにより前記通帳を搬送する搬送部を制御する搬送制御部と、
前記搬送部によって所定の位置に搬送された前記通帳の表紙に印字を行う印字部を制御する印字制御部と、
前記印字部によって前記通帳の表紙に印字された印字部分に前記搬送ローラが接触した場合、接触した前記搬送ローラの接触部分が、前記搬送ローラの更なる回転によって前記通帳の表紙に接触するか否かを判断する判断部とを備え、
前記搬送制御部は、接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させることを特徴とする自動取引装置。
【請求項２】
前記所定の角度は、前記接触部分が前記通帳の再搬送時に前記通帳の表紙に接触することを回避する角度であることを特徴とする請求項１に記載の自動取引装置。
【請求項３】
前記搬送ローラを所定の角度分回転させる際の回転方向は、前記通帳を搬送する際の回転方向又はその逆の回転方向であることを特徴とする請求項１又は２に記載の自動取引装置。
【請求項４】
通帳を搬送し、前記通帳の表紙への印字を行う自動取引装置が実行するインク転写防止方法であって、
前記通帳を搬送するための搬送ローラを複数備え、それぞれの搬送ローラを前記通帳の表紙に接触させて回転させることにより前記通帳を搬送する搬送部によって所定の位置に搬送された前記通帳の表紙に印字を行うステップと、
前記通帳の表紙に印字された印字部分に前記搬送ローラが接触した場合、接触した前記搬送ローラの接触部分が、前記搬送ローラの更なる回転によって前記通帳の表紙に接触するか否かを判断するステップと、
接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させるステップとを、
有することを特徴とするインク転写防止方法。
【請求項５】
前記所定の角度は、前記接触部分が前記通帳の再搬送時に前記通帳の表紙に接触することを回避する角度であることを特徴とする請求項４に記載のインク転写防止方法。
【請求項６】
前記搬送ローラを所定の角度分回転させる際の回転方向は、前記通帳を搬送する際の回転方向又はその逆の回転方向であることを特徴とする請求項４又は５に記載のインク転写防止方法。
【請求項７】
通帳を搬送し、前記通帳の表紙への印字を行う自動取引装置におけるインク転写防止プログラムであって、
前記通帳を搬送するための搬送ローラを複数備え、それぞれの搬送ローラを前記通帳の表紙に接触させて回転させることにより前記通帳を搬送する搬送部によって所定の位置に搬送された前記通帳の表紙に印字を行うステップと、
前記通帳の表紙に印字された印字部分に前記搬送ローラが接触した場合、接触した前記搬送ローラの接触部分が、前記搬送ローラの更なる回転によって前記通帳の表紙に接触するか否かを判断するステップと、
接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させるステップとを、
コンピュータに実行させることを特徴とするインク転写防止プログラム。
【請求項８】
前記所定の角度は、前記接触部分が前記通帳の再搬送時に前記通帳の表紙に接触することを回避する角度であることを特徴とする請求項７に記載のインク転写防止プログラム。
【請求項９】
前記搬送ローラを所定の角度分回転させる際の回転方向は、前記通帳を搬送する際の回転方向又はその逆の回転方向であることを特徴とする請求項７又は８に記載のインク転写防止プログラム。
【発明の詳細な説明】
【技術分野】
【０００１】
本発明は、通帳への印字機能を有する自動取引装置に関する。
【背景技術】
【０００２】
新規に口座を開設する場合や既存の通帳に最後まで印字された場合には、新規通帳が発行される。従来の現金自動預支払装置（ＡＴＭ：Automated Teller Machine）では、新規通帳の発行の際、まず通帳の表紙に口座名義人などの情報が印字される。このような通帳への印字機能を有するＡＴＭの一例が下記の特許文献１に開示されている。通帳の表紙に口座名義人などの情報が印字されると、通帳の記帳欄に取引情報などを印字するため、通帳はＡＴＭ内の印字機構部の搬送ローラによって、通帳の表紙を捲る捲り部へ搬送される。
【先行技術文献】
【特許文献】
【０００３】
【特許文献１】特開２００４−２６４９５５号公報
【発明の概要】
【発明が解決しようとする課題】
【０００４】
しかし、搬送ローラは、通帳を搬送する際、口座名義人などが印字された通帳の表紙に接した状態で回転するため、通帳の表紙に印字されたインクが搬送ローラに付着し、搬送ローラに付着したインクが、搬送ローラの更なる搬送のための回転により通帳の表紙の他の箇所に付着し、通帳の表紙を汚損してしまうという問題があった。
【０００５】
本発明は、上記課題に鑑み、通帳表紙に印字されたインクが付着した搬送ローラによる通帳表紙の汚損を防止することができる自動取引装置を提供することを目的とする。
【課題を解決するための手段】
【０００６】
上記目的を達成するために、本発明は、通帳を搬送し、前記通帳の表紙への印字を行う自動取引装置であって、前記通帳を搬送するための搬送ローラを複数備え、それぞれの搬送ローラを前記通帳の表紙に接触させて回転させることにより前記通帳を搬送する搬送部を制御する搬送制御部と、前記搬送部によって所定の位置に搬送された前記通帳の表紙に印字を行う印字部を制御する印字制御部と、前記印字部によって前記通帳の表紙に印字された印字部分に前記搬送ローラが接触した場合、接触した前記搬送ローラの接触部分が、前記搬送ローラの更なる回転によって前記通帳の表紙に接触するか否かを判断する判断部とを備え、前記搬送制御部は、接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させることを特徴とする。
【０００７】
また、本発明の自動取引装置において、前記所定の角度が、前記接触部分が前記通帳の再搬送時に前記通帳の表紙に接触することを回避する角度であることは、好ましい態様である。
【０００８】
また、本発明の自動取引装置において、前記搬送ローラを所定の角度分回転させる際の回転方向が、前記通帳を搬送する際の回転方向又はその逆の回転方向であることは、好ましい態様である。
【０００９】
また、本発明は、通帳を搬送し、前記通帳の表紙への印字を行う自動取引装置が実行するインク転写防止方法であって、前記通帳を搬送するための搬送ローラを複数備え、それぞれの搬送ローラを前記通帳の表紙に接触させて回転させることにより前記通帳を搬送する搬送部によって所定の位置に搬送された前記通帳の表紙に印字を行うステップと、前記通帳の表紙に印字された印字部分に前記搬送ローラが接触した場合、接触した前記搬送ローラの接触部分が、前記搬送ローラの更なる回転によって前記通帳の表紙に接触するか否かを判断するステップと、接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させるステップとを有することを特徴とする。
【００１０】
また、本発明のインク転写防止方法において、前記所定の角度が、前記接触部分が前記通帳の再搬送時に前記通帳の表紙に接触することを回避する角度であることは、好ましい態様である。
【００１１】
また、本発明のインク転写防止方法において、前記搬送ローラを所定の角度分回転させる際の回転方向が、前記通帳を搬送する際の回転方向又はその逆の回転方向であることは、好ましい態様である。
【００１２】
また、本発明は、通帳を搬送し、前記通帳の表紙への印字を行う自動取引装置におけるインク転写防止プログラムであって、前記通帳を搬送するための搬送ローラを複数備え、それぞれの搬送ローラを前記通帳の表紙に接触させて回転させることにより前記通帳を搬送する搬送部によって所定の位置に搬送された前記通帳の表紙に印字を行うステップと、前記通帳の表紙に印字された印字部分に前記搬送ローラが接触した場合、接触した前記搬送ローラの接触部分が、前記搬送ローラの更なる回転によって前記通帳の表紙に接触するか否かを判断するステップと、接触すると判断された場合、前記搬送ローラを前記通帳の表紙から離し、離された前記搬送ローラを所定の角度分回転させ、回転後の前記搬送ローラを前記通帳の表紙に接触させて前記通帳の再搬送を開始させるステップとをコンピュータに実行させることを特徴とする。
【００１３】
また、本発明のインク転写防止プログラムにおいて、前記所定の角度が、前記接触部分が前記通帳の再搬送時に前記通帳の表紙に接触することを回避する角度であることは、好ましい態様である。
【００１４】
また、本発明のインク転写防止プログラムにおいて、前記搬送ローラを所定の角度分回転させる際の回転方向が、前記通帳を搬送する際の回転方向又はその逆の回転方向であることは、好ましい態様である。
【発明の効果】
【００１５】
本発明によれば、通帳表紙に印字されたインクが付着した搬送ローラによる通帳表紙の汚損を防止することができる。
【図面の簡単な説明】
【００１６】
【図１】実施の形態に係る自動取引装置の外観の一例を示す外観図である。
【図２】実施の形態に係る自動取引装置の通帳発行を行う通帳発行機の一例を示す図である。
【図３】実施の形態における通帳発行機の印字ヘッドと捲り部の通帳表紙への印字の際の動作の一例に説明するための図である。
【図４】実施の形態に係る自動取引装置の機能構成の一例を示す構成図である。
【図５Ａ】実施の形態における印字ヘッドによる印字位置に新規通帳がセットされ、通帳表紙に印字されたときの状態を示す図である。
【図５Ｂ】実施の形態における搬送ローラが搬送回転により通帳表紙の印字部分に接触し、インクが搬送ローラに付着した状態を示す図である。
【図５Ｃ】実施の形態における搬送ローラに付着したインクが搬送ローラの搬送回転により、先に印字された箇所とは異なる他の通帳表紙上にインクが転写される直前の状態を示す図である。
【図５Ｄ】実施の形態における搬送ローラが上方へ移動するとともに、搬送回転とは所定の角度分だけ逆回転した状態を示す図である。
【図５Ｅ】実施の形態における搬送ローラが通帳の把持の終了に伴って停止され、搬送ローラが通帳表紙の印字部分に接触し、搬送回転を続けている状態を示す図である。
【図６】通帳表紙への転写が避けられず、搬送ローラが通過するエリアに、転写跡としてインクが転写された場合を示す図である。
【図７】実施の形態に係る自動取引装置のインク転写防止の処理フローの一例を示すフローチャートである。
【図８Ａ】実施の形態における吸入搬送θ１を説明するための図である。
【図８Ｂ】実施の形態における所定の角度θ２につい説明するための図である。
【発明を実施するための形態】
【００１７】
以下、実施の形態について図面を参照して説明する。まず、実施の形態に係る自動取引装置の外観の一例について図１を用いて説明する。自動取引装置１０は、顧客（ユーザ）からの要求に応じて預入、払戻、振込、通帳記帳などの取引を実行する機能を有するとともに、後述するような、新規通帳発行の際の通帳表紙への印字機能を有する。
【００１８】
自動取引装置１０は、取引を行うための取引キーなどを表示する表示部１１と、硬貨を投入するための硬貨投入口１２と、紙幣を投入するための紙幣投入口１３と、ＩＣカードなどを挿入するためのカード挿入口１４と、通帳を挿入及び排出するための通帳挿入口２０から構成されている。なお、自動取引装置１０は、上記構成以外の構成を有するが、ここでは省略する。
【００１９】
次に、実施の形態に係る自動取引装置における通帳発行を行う通帳発行機の一例について図２を用いて説明する。通帳発行機は、自動取引装置１０の構成の一部であり、搬送路２１、ＭＳ（Magnetic Stripe）部２２、光学部２３、印字部２４、捲り部２５、退避部２６、発行部２７、天地ターン部２８、取込部２９、不図示の搬送部から構成されている。搬送部は、図２には図示されていないが、通帳（通帳媒体）を搬送路２１上に沿って搬送するものであり、例えば、後述する搬送ローラを含むものである。
【００２０】
搬送路２１は、自動取引装置１０内に吸入された通帳を搬送するためのものである。ＭＳ部２２は、通帳のＭＳ（磁気ストライプ）に記録された情報を読み取るものであり、例えば、ＭＳに記録された口座に関する情報を読み取る。光学部２３は、通帳のページ情報や印字済み行を光学的に読み取るものである。印字部２４は、通帳表紙や通帳の記帳欄への印字を行うものであり、後述する印字ヘッド３０を含むものである。捲り部２５は、通帳への印字の際に通帳の表紙やページを捲るものである。退避部２６は、通帳繰越によって新規通帳を発行する場合に、既存の通帳（最後まで印字がされた通帳）を一時的に退避させるものである。なお、退避部２６は、この構成に限定されるものではなく、例えば、搬送路２１の延長上に設けられてもよい。
【００２１】
発行部２７は、発行前の通帳を備え、この例では複数のカセットから構成されている。発行部２７は、顧客のニーズに対応するため、複数の種類、例えば総合通帳用、普通通帳用、キャラクター通帳用の通帳などを備えている。例えば、カセットＡからＤは、総合通帳用の通帳、カセットＥからＧは普通通帳用の通帳、カセットＨはキャラクター通帳用の通帳を備えている。天地ターン部２８は、通帳の向きを変えるためのものである。取込部２９は、顧客が取り忘れた通帳を取り込むものである。
【００２２】
ここで、通帳発行機における通帳発行を行う際の通帳表紙への印字の動作の一例について図３を用いて説明する。新規通帳の発行により、発行部２７から新規の通帳が搬送路２１上を送られてきて、搬送路２１の所定の位置、すなわち印字ヘッド３０による印字位置に通帳がセットされる。通帳がセットされると、印字ヘッド３０が搬送方向に対して垂直方向に通帳上を動き、通帳表紙へ口座名義人などが印字される。通帳表紙への印字が終了すると、通帳は、対となる複数の搬送ローラによって、通帳の記帳欄などに各種情報を印字するために、通帳の表紙を捲る捲り部２５へ搬送される。なお、ラインセンサー３１は、通帳のページマークを読み取るものであり、読み取ることによって、何ページ目が開かれているか認識することができる。本発明は、印字ヘッド３０によって通帳表紙に印字された後、捲り部２５へ通帳が搬送される過程において、搬送ローラに付着したインクによって通帳表紙の他の箇所が汚損されることを防止するためのものである。
【００２３】
次に、実施の形態に係る自動取引装置の機能構成の一例について図４を用いて説明する。自動取引装置１０は、搬送制御部４０、印字制御部４１、判断部４２、発行制御部４３、格納部４４から構成されている。搬送制御部４０は、通帳を搬送するための搬送ローラを複数備え、それぞれの搬送ローラを通帳の表紙に接触させて回転させることにより通帳を搬送する搬送部を制御する。
【００２４】
また、搬送制御部４０は、後述する判断部４２によって、通帳表紙の印字部分に接触した搬送ローラの接触部分が、搬送ローラの更なる回転によって通帳の表紙に接触すると判断された場合、搬送ローラを通帳の表紙から離し、離された搬送ローラを所定の角度分回転させ、回転後の搬送ローラを通帳の表紙に接触させて搬送部に通帳の再搬送を開始させる。ここで、所定の角度は、上記接触部分が通帳の再搬送時に通帳の表紙に接触することを回避する角度（例えば、後述する逆回転させる場合はθ２、逆回転させない場合は３６０−θ２）である。なお、回避できれば、上記角度の例に限定されるものではない。また、このとき、搬送制御部４０が搬送ローラを所定の角度分回転させる際の回転方向は、通帳を搬送する際の回転方向、すなわち捲り部２５側へ搬送するための回転方向又はその逆の回転方向である。
【００２５】
印字制御部４１は、搬送部によって所定の位置、すなわち印字ヘッド３０による印字位置に搬送された通帳の表紙に印字を行う印字ヘッド３０を制御する。
【００２６】
判断部４２は、印字部２４によって通帳の表紙に印字された印字部分に搬送ローラが接触した場合、接触した搬送ローラの接触部分が、搬送ローラの更なる通帳搬送のための回転によって通帳の表紙に接触するか否かを判断する。具体的には、判断部４２は、後述するように、通帳表紙への印字位置から通帳の終端までの距離Ｘが所定の値（例えば、４７．７７ｍｍ）より大きいか否かを判断する。
【００２７】
発行制御部４３は、新規通帳を発行する際、顧客の要望に沿った通帳を保管するカセットから新規の通帳を取得させ、搬送路２１上に通帳を送り出させる。送り出された通帳は、搬送制御部４０による搬送ローラの制御によって、上記所定の位置まで搬送される。
【００２８】
格納部４４は、判断部４２による上記判断の際に用いられる情報（例えば、所定の値の４７．７７ｍｍなど）を格納する。また、格納部４４は、自動取引装置１０の各種処理を行うためのアプリケーションプログラムや、自動取引装置１０の処理に必要なデータなどを格納する。
【００２９】
ここで、通帳表紙への印字が終了してから捲り部２５へ搬送されるまでの搬送ローラの動作の一例を図５Ａから図５Ｅを用いて説明する。図５Ａは、印字ヘッド３０による印字位置に新規の通帳（通帳媒体）がセットされ、通帳表紙に印字されたときの状態を示している。この状態から捲り部２５側への通帳搬送が開始される。このとき、搬送ローラ５１は、通帳に接触した状態で通帳を捲り部２５側へ搬送するよう回転し、搬送ローラ５２、５３は停止したまま又は回転状態である。
【００３０】
図５Ｂは、図５Ａの状態から通帳搬送が進んだ状態であり、搬送ローラ５１が通帳搬送のための回転（搬送回転又は正転）により通帳表紙の印字部分に接触し、インクが搬送ローラ５１に付着した状態を示している。なお、搬送回転又は正転とは逆の回転を逆回転と言う。このとき、搬送ローラ５１は、インクが付着した状態で搬送回転を続け、搬送ローラ５２、５３は停止したまま又は回転状態である。
【００３１】
図５Ｃは、図５Ｂの状態から通帳搬送が進んだ状態であり、搬送ローラ５１に付着したインクが搬送ローラ５１の搬送回転により、先に印字された箇所とは異なる通帳表紙上に転写される直前の状態を示している。このとき、搬送ローラ５２は、通帳に接して捲り部２５側へ搬送するように搬送回転を開始しており、搬送ローラ５３は停止したまま又は回転状態である。
【００３２】
図５Ｄは、図５Ｃの状態から通帳搬送が進んだ状態であり、搬送ローラ５１が、搬送ローラ５１に付着したインクが通帳表紙へ転写されることを防ぐために、上方へ移動されるとともに、搬送回転とは所定の角度分だけ逆回転された状態を示している。そして、搬送ローラ５１は、逆回転した状態で下方に移動し、通帳表紙に接触した状態で搬送回転を再開する。このとき、搬送ローラ５２は、通帳を把持した状態で搬送回転をしており、搬送ローラ５３は停止したまま又は回転状態である。通帳表紙への転写が避けられない場合には、図６に示すように、搬送ローラが通過するエリア（ローラー通過エリア）に転写跡として転写されてしまう。
【００３３】
図５Ｅは、図５Ｄの状態から通帳搬送が進んだ状態であり、搬送ローラ５１が、通帳の把持の終了に伴って停止又は回転状態とされ、搬送ローラ５２が、通帳表紙の印字部分に接触し、その後も搬送回転を続けている状態を示している。なお、以降の搬送ローラ５２の動作は、上述した搬送ローラ５１と同様の動作であるため、説明を省略する。
【００３４】
次に、実施の形態に係る自動取引装置のインク転写防止の処理フローの一例について図７を用いて説明する。まず、新規の口座開設や既存通帳の繰越などにより、新規通帳の発行が必要になると、発行制御部４３は、カセットから新規の通帳を取得して、新規通帳発行の処理を開始する（ステップＳ７０１）。新規の通帳は、印字ヘッド３０による通帳表紙への印字のため、搬送制御部４０によって印字位置にセットされる（ステップＳ７０２）。セットされると、印字ヘッド３０は通帳表紙に表紙印字を行う（ステップＳ７０３）。通帳表紙への印字が終了すると、捲り部２５側へ通帳の搬送が開始される。
【００３５】
判断部４２は、通帳表紙への印字位置から通帳の終端までの距離Ｘが所定の値（例えば、４７．７７ｍｍ）より大きいか否かを判断する（ステップＳ７０４）。大きい場合（ステップＳ７０４でＹｅｓ）、搬送ローラ（例えば、搬送ローラ５１）の搬送回転により搬送ローラに付着したインクの通帳表紙への転写の可能性があるため、搬送制御部４０は、後述する角度θ１分だけ通帳を吸入方向へ搬送する（ステップＳ７０５）。吸入方向とは、捲り部２５側の方向である。搬送制御部４０は、搬送ローラを上方へ上げ（ステップＳ７０６）、上げられた搬送ローラを所定の角度θ２だけ逆回転させ（ステップＳ７０７）、回転後の搬送ローラを通帳の表紙に接触させて通帳の再搬送（吸入方向への搬送）を開始させる（ステップＳ７０８）。なお、角度θ２は通帳の長さなどに応じて変えることは可能である。
【００３６】
また、ここでは、インクの転写を防止するために搬送ローラを上方へ上げるようにしているが、搬送ローラを上方へ上げずに、搬送路２１を下方へ下げるようにしてもよい。また、搬送ローラを上方へ上げることと、搬送路２１を下方へ下げることを一緒に行うようにしてもよい。これにより、インクの転写を防止することができる。
【００３７】
ここで、上記吸入搬送θ１及び所定の角度θ２について図８Ａ、図８Ｂを用いて説明する。図８Ａは、搬送ローラが通帳表紙に接触した状態を示している。この場合の搬送ローラは、直径φ＝１６．１７ｍｍである。そのため、通帳表紙の印字部分を搬送ローラが通過してから、搬送ローラに付着したインクが再度、通帳表紙に接するまでの角度はθ１であり、この場合、θ１＝３３８．７２度となる。この角度θ１は、搬送ローラ１周分から印字一文字分の大きさに該当する分を差し引いた角度である。
【００３８】
図８Ｂは、搬送ローラが通帳表紙から上方に離れた（上がった）状態を示している。図８Ｂに示す角度θ２は、搬送ローラを逆回転させることができる最大の回転角度であり、この場合、θ２＝３１７．４４度である。この角度θ２は、搬送ローラ１周分から印字二文字分の大きさに該当する分を差し引いた角度である。
【００３９】
上述したような自動取引装置によれば、通帳表紙へのインクの転写を防止する機構を搭載させる自動取引装置に比べて、非常に安価に、通帳表紙に印字されたインクが付着した搬送ローラによる通帳表紙の汚損を防止することができる。
【００４０】
なお、上述した実施の形態に係る自動取引装置の主な処理は、不図示のＣＰＵによるソフトウェア処理によって実行されてもよく、処理の全部又は一部をハードウェアによって実現するようにしてもよい。
【００４１】
また、上述した実施の形態は、上述したものに限定されるものではなく、実施の形態の要旨を逸脱しない範囲において種々の変更を加えることができる。
【符号の説明】
【００４２】
１０  自動取引装置
１１  表示部
１２硬貨投入口
１３  紙幣投入口
１４  カード挿入口
２０  通帳挿入口
２１  搬送路
２２  ＭＳ部
２３  光学部
２４  印字部
２５  捲り部
２６  退避部
２７  発行部
２８  天地ターン部
２９  取込部
３０  印字ヘッド
３１  ラインセンサー
４０  搬送制御部
４１  印字制御部
４２  判断部
４３  発行制御部
４４  格納部
５１、５２、５３  搬送ローラ
【図１】
0006467335.tif 000002
【図２】
0006467335.tif 000003
【図３】
0006467335.tif 000004
【図４】
0006467335.tif 000005
【図５Ａ】
0006467335.tif 000006
【図５Ｂ】
0006467335.tif 000007
【図５Ｃ】
0006467335.tif 000008
【図５Ｄ】
0006467335.tif 000009
【図５Ｅ】
0006467335.tif 000010
【図６】
0006467335.tif 000011
【図７】
0006467335.tif 000012
【図８Ａ】
0006467335.tif 000013
【図８Ｂ】
0006467335.tif 000014